(57)【要約】【課題】  簡単な構成で頭部への装着を容易にして使い勝手をよくし、さらにハウリング防止性能を向上させた骨伝導送受話ヘッドバンド、またはキャップを提供する。【解決手段】  頭部８形状に沿って円弧状に形成された所定幅で薄肉長尺の弾性板状体２からなり、この板状体の長手方向の両端部に形成した頭部表面押圧部３の少なくとも一方の端部近傍に、入力された信号を音声信号として出力する骨伝導スピーカ５を装着し、音声を集音するマイク６とこれら信号の入出力部７とを取り付けたことを特徴とする。【選択図】  図１
2006229373.tif 000002
【特許請求の範囲】
【請求項１】
頭部形状に沿って円弧状に形成された所定幅で薄肉長尺の弾性板状体からなり、この板状体の長手方向の両端部に形成した頭部表面押圧部の少なくとも一方の端部近傍に、入力された信号を音声信号として出力する骨伝導スピーカを装着し、音声を集音するマイクとこれら信号の入出力部とを取り付けたことを特徴とする骨伝導送受話ヘッドバンド。
【請求項２】
骨伝導マイクと信号の入出力部とを前記板状体に取り付けたことを特徴とする請求項１記載の骨伝導送受話ヘッドバンド。
【請求項３】
円弧状板状体の少なくとも下縁中央部分を含む範囲から頭部前方に延出する鍔部を設け、この鍔部の下面に音声を集音する気導マイクを取着したことを特徴とする請求項１記載の骨伝導送受話ヘッドバンド。
【請求項４】
頭部に装着したときに、骨伝導スピーカが耳部の近傍に位置するようにしたことを特徴とする請求項１記載の骨伝導送受話ヘッドバンド。
【請求項５】
頭部を覆うキャップ部と、このキャップ部の少なくとも前部下縁の中央部分を含む範囲から頭部前方に延出する鍔部を設け、この鍔部の下面に音声を集音する気導マイクを取着するとともに、前記キャップ部の少なくとも一側部下縁に、入力された信号を音声信号として出力する骨伝導スピーカを頭部側面に当接するように装着したことを特徴とする骨伝導送受話キャップ。
【請求項６】
骨伝導送受話装値本体には入出力部の端子を取り付け、信号の入出力部を本体とは別ユニットとしたことを特徴とする請求項１または５に記載の骨伝導送受話ヘッドバンドまたはキャップ。
【発明の詳細な説明】
【技術分野】
【０００１】
本発明は、ウオーキングやゴルフ場など離れた位置での会話ができる骨伝導による送受話器を内蔵したヘッドバンドまたはキャップに関する。
【背景技術】
【０００２】
従来、水泳やマリンスポーツの場で、メガホンや拡声器などによらずにコーチと練習者など特定者間のみで双方向に会話ができるようにするため、送信部から送信される音声信号を受信する通信回路部と電源用電池と通信回路部からの出力信号で動作するイヤホンや骨伝導式のマイクロフォンとスピーカからなる通信ユニットを備えたゴーグルおよびヘアバンドが提案されていた（特許文献１参照）。
【特許文献１】特開２００３−１０２８９４号公報
【発明の開示】
【発明が解決しようとする課題】
【０００３】
しかしながら、特許文献１に記載されたゴーグルやヘアバンド、キャップタイプの構成では、通信ユニットを備えたゴーグルなどを頭部へ巻き付けて装着するときに、ゴム製の締め付けバンドにより取り付け可能とする必要があり、また、締め付け強さを調節する調節部を設けたり、ヘアバンドを着脱可能とするための面接合テープや面ファスナーを必要とし、装着に手間が掛かるとともに、装着の際には頭部を締め付けることになって圧迫感を感じるなどの不具合があり、使い勝手がよくなかった。
【０００４】
一方、特許文献１に記載されている骨伝導マイクは、発声時における頭骨の微小振動を増幅して使用するため、双方向による会話時の音声信号の流れである図７に示すように、発声による声帯振動は、頭骨から第１のヘアバンド（51ａ）に設置された骨伝導マイク（56ａ）から第１のトランスミッター（57ａ）に入力され、第１のトランスミッター（57ａ）からの送信号を第２のトランスミッター（57ｂ）で受け、この受信信号を第２のヘアバンド（51ｂ）に設けられた骨伝導スピーカ（55ｂ）から音声信号としてヘアバンドの装着者が聴き取るものであるが、前記骨伝導スピーカ（55ａ）（55ｂ）からの声帯振動は装着者の頭骨やヘアバンド（51ａ）（51ｂ）自体を介して骨伝導マイク（56ａ）（56ｂ）に伝導するループを形成するため、双方向通話時に伝わった声帯振動が増幅され発振する、いわゆるハウリング現象を起こしやすいという問題があった。
【０００５】
本発明は上記事情を考慮してなされたものであり、簡単な構成で頭部への装着を容易にして使い勝手をよくし、さらにハウリング防止性能を向上させた骨伝導送受話ヘッドバンド、またはキャップを提供することを目的とする。
【課題を解決するための手段】
【０００６】
上記課題を解決するため、本発明の請求項１の骨伝導送受話ヘッドバンドは、頭部形状に沿って円弧状に形成された所定幅で薄肉長尺の弾性板状体からなり、この板状体の長手方向の両端部に形成した頭部表面押圧部の少なくとも一方の端部近傍に、入力された信号を音声信号として出力する骨伝導スピーカを装着し、音声を集音するマイクとこれら信号の入出力部とを取り付けたことを特徴とする。
【０００７】
また、請求項５の骨伝導送受話キャップは、頭部を覆うキャップ部と、このキャップ部の少なくとも前部下縁の中央部分を含む範囲から頭部前方に延出する鍔部を設け、この鍔部の下面に音声を集音する気導マイクを取着するとともに、前記キャップ部の少なくとも一側部下縁に、入力された信号を音声信号として出力する骨伝導スピーカを頭部側面に当接するように装着したことを特徴とするものである。
【発明の効果】
【０００８】
請求項１記載の発明によれば、円弧状の板状体をその弾性力により頭部につけるだけのため、コンパクトな形状にすることができ、面接合テープや面ファスナーが不要となって装着が容易であるとともに頭部を締め付けることがないので圧迫感も軽減できるものである。また、請求項５の発明によれば、上記効果に加えてハウリングが低減でき、明確な音声によるコミュニケーションをはかることができる。
【発明を実施するための最良の形態】
【０００９】
以下、図面に基づき本発明の１実施形態について説明する。図１に示す骨伝導送受話ヘッドバンド（１）は、二点鎖線で示す人間の頭部（８）の形状に沿って円弧状に曲成して弾力性を持たせており、数１０ｍｍの所定幅で薄肉、且つ長尺の細長い合成樹脂製の板状体（２）から形成されている。この板状体（２）の長手方向の両端部は、頭部（８）の表面に弾力性をもって軽く押圧するように押圧部（３）が形成されており、その端部近傍には骨伝導スピーカ（５）を装着している。
【００１０】
骨伝導スピーカ（５）は、圧電セラミックスの薄い層と電極層を交互に積層した積層圧電アクチュエータであり、音源からの音声信号を送信器から無線信号に変換して受信器に入力し、入力された信号を圧電式の音響振動として聴取者の頭部（８）に直接伝達することで骨伝導により音声が聞こえるようにしたものである。
【００１１】
前記骨伝導スピーカ（５）から離間した、例えば板状体（２）の長手方向の中央部の内面側には、前記スピーカ（５）と同様に骨伝導によって音声を伝達する骨伝導マイク（６）を頭部に当接するように設置しており、これら骨伝導のスピーカ（５）とマイク（６）は板状体（２）の中央部分の外面に電源部とともに取り付けたトランスミッター（７）に接続されている。
【００１２】
この構成によれば、円弧状の板状体（２）をその弾性力により頭部（８）につけるだけのカチューシャタイプであるため、使用者としては、装着が容易であるとともにヘアベルトのように頭部（８）を締め付けることがないので圧迫感を軽減できるものであり、ヘッドバンド（１）としての構成も面接合テープや面ファスナーが不要となるばかりでなく、トランスミッターが別体である場合に接続コードなどによる煩わしさもなくなって簡単な構成となり、コンパクトな形状にすることができる。
【００１３】
また、前記骨伝導スピーカ（５）およびマイク（６）をヘッドバンドの板状体（２）面に、図２に示すように、緩衝体（９ａ）（９ｂ）を介して装着するようにすれば、音声振動が板状体（２）を介してマイク（６）などに伝達することを防止でき、前記したハウリング現象を軽減することができる。なお、この場合、頭部（８）を介しての伝播は頭部の髪の毛や皮膚などによって著しく減衰するものでありほとんど影響はない。
【００１４】
そして、上述のように構成された骨伝導による送受話器を設けたヘッドバンド（１）は、円弧状中央部と両端部の弾性力との係止力によって、図３の（ａ）、（ｂ）あるいは（ｃ）に示すように、頭部（８）に対して、両端部に位置する骨伝導スピーカ（５）を伝導性の良好な耳の近傍の頭骨に当接させた状態で種々の状態で安定して簡単に取り付けることができるものであり、頭部締め付け感のない快適な状況で音声の授受をおこなうことができる。
【００１５】
なお、本発明でいうヘッドバンドとは、頭部（８）に軽く被せるようにつけるだけで装着できるものであり、前記実施例におけるカチューシャや後述するサンバイザーなどをも含めるものである。
【００１６】
次に本発明の他の実施例を説明する。本実施例は図４の斜視図に示すように、前記図１に示したものと同様の板状体（12）と、この板状体（12）の長手方向の両端部の頭部（８）への押圧部（13）に装着した骨伝導スピーカ（15）と、板状体（12）の円弧状部の頂部外面に取り付けたトランスミッター（17）とからなるカチューシャタイプのヘッドバンドに、その中央部から前面に目庇となる幅広の鍔部（19）を一体に突出させた、いわゆるサンバイザータイプの骨伝導送受話ヘッドバンド（11）であることを特徴とする。
【００１７】
前記幅広の鍔部（19）の先端に近い前方下面には、装着者の発声を空気伝導により集音する気導マイク（16）を取着しており、このように気導マイク（16）を前記鍔部（19）の前方下面に配置した構成により、図５に示すように、気導マイク（16）は装着者の口の位置と対応することになり、発声音を直接効果的にとらえることができるとともに、前記鍔部（19）の上面からの周囲音は遮断されるのでマイク（16）の増幅回路の増幅度合を抑えることができ、ハウリングの低減に対し有効である。
【００１８】
また、マイクは気導マイク（16）であることから装着者の頭骨に接触させる必要がなくなり、骨伝導スピーカ（15）の位置からも離間させることができるため、骨伝導スピーカ（15）からの振動伝達を大きく減衰できるものである。なお、気導マイク（16）は単一指向性のものを装着者の口の方向に向けて設置すれば、さらにマイク（16）の増幅回路のゲインを抑えることができるとともに、ハウリングに対してさらに大きな低減効果を得ることができるものである。
【００１９】
図６により、さらに他の実施形態について説明する。本実施例による骨伝導送受話キャップ（21）は、前述の実施例における円弧状に曲成した弾力性を有する板状体（２）（12）から形成したカチューシャタイプのヘッドバンド（１）（11）に代わって、頭部を覆うキャップ部（22）を形成し、このキャップ部（22）の少なくとも下縁中央部分を含む範囲から頭部前方に延出して目庇となる幅広の鍔（29）を設けたものである。
【００２０】
そして、前記鍔（29）の前方下面に音声を集音する気導マイク（26）を装着者の口に対応するように取り付けるとともに、前記キャップ部（22）の両側部の下縁には、入力された信号を音声信号として出力する骨伝導スピーカ（25）を頭部側面に当接するように装着しており、キャップ部（22）の下縁後部にはトランスミッター（27）と電源をユニット化して一体に装着している。
【００２１】
この構成によれば、前記骨伝導送受話装置（21）は野球帽のようなキャップタイプであることからカチューシャタイプに比べてデザイン的に性別を問わないものであり、また外力に対して破損を気にすることなく山歩きなどのスポーツにも手軽に使用することができる。
【００２２】
なお、前記トランスミッター（７）（17）（27）や電源部は、前記各実施例のように、板状体（２）（12）部分に一体に組み込むようにすれば、骨伝導送受話装置（１）（11）としてコンパクトになり、ワイヤレスになって使い勝手がよい。また、意匠的にも違和感なく一体化することができるものであるが、これに限らず、装置本体と分離して別ユニットとして形成し衣服のポケットなどに収納できるようにしてもよく、この場合には、本体側には入出力用の端子を設けるようにする。
【００２３】
このように構成すれば、入出力の端子には、トランスミッター（７）（17）（27）のみでなく、市販のトランシーバを接続して使用してもよく、ＣＤ、ＭＤなどの音源を接続してもよい。また、接続コードを取り外せば、通常のカチューシャや帽子として使用できるものである。
【産業上の利用可能性】
【００２４】
本発明は、骨伝導による送受話器を内蔵したヘッドバンドまたはキャップに利用することができる。
【図面の簡単な説明】
【００２５】
【図１】本発明の１実施形態の骨伝導送受話ヘッドバンドを示す概略斜視図である。
【図２】図１のマイクやスピーカの取り付け状態を示す正面図である。
【図３】図１の骨伝導送受話ヘッドバンドの装着状態例を示す説明図である。
【図４】図３のＡ−Ａ線に沿う断面図である。
【図５】本発明の他の実施例の骨伝導送受話ヘッドバンドを示す概略斜視図である。
【図６】本発明の他の実施形態を示す骨伝導送受話キャップの概略斜視図である。
【図７】従来の骨伝導送受話ヘアバンドにおける音声信号の流れを示す図である。
【符号の説明】
【００２６】
１、11  骨伝導送受話ヘッドバンド        ２、12  板状体
３、13  押圧部                          ５、15、25  骨伝導スピーカ
６  骨伝導マイク                        ７  トランスミッター
８  頭部                                ９ａ、９ｂ  緩衝体
16、26  気導マイク                      ７、17、27  トランスミッター
19、29  鍔部                            21  骨伝導送受話キャップ
22  キャップ部
【図１】
2006229373.tif 000003
【図２】
2006229373.tif 000004
【図３】
2006229373.tif 000005
【図４】
2006229373.tif 000006
【図５】
2006229373.tif 000007
【図６】
2006229373.tif 000008
【図７】
2006229373.tif 000009